(57)【要約】【課題】紙幣識別装置を搭載した自動販売機において、利用者に紙幣の挿入可能枚数を簡単に報知できるようにした自動販売機の表示装置を提供することにある。【解決手段】硬貨処理装置と紙幣識別装置とを備えた自動販売機において、硬貨処理装置の釣銭保有量を検知する検知手段と、該検知手段による釣銭保有量に基づき、紙幣挿入可能枚数を演算する演算手段と、該演算手段により求めた紙幣挿入可能枚数を自動販売機前面に表示させる制御手段とを備える。【選択図】図１
2013016091.tif 000002
【特許請求の範囲】
【請求項１】
硬貨処理装置と紙幣識別装置とを備えた自動販売機において、硬貨処理装置の釣銭保有量を検知する検知手段と、該検知手段による釣銭保有量に基づき、紙幣挿入可能枚数を演算する演算手段と、該演算手段により求めた紙幣挿入可能枚数を自動販売機前面に表示させる制御手段とを備えたことを特徴とする自動販売機の表示装置。
【請求項２】
請求項１に記載の自動販売機の表示装置において、前記紙幣識別装置に紙幣の一時保留機能を備え、上記演算手段により求めた紙幣挿入可能枚数に一時保留枚数を加算した枚数を新たな紙幣挿入可能枚数として自動販売機前面に表示させることを特徴とする自動販売機の表示装置。
【請求項３】
請求項１または２に記載の自動販売機の表示装置において、前記紙幣挿入可能枚数の表示は複数のＬＥＤランプからなり、紙幣挿入可能枚数と同数のＬＥＤランプが点灯し、紙幣が挿入される度にＬＥＤランプを消灯することを特徴とする自動販売機の表示装置。
【発明の詳細な説明】
【技術分野】
【０００１】
本発明は、紙幣識別装置を搭載した自動販売機であって、紙幣の挿入可能枚数を表示する自動販売機の表示装置に関する。
【背景技術】
【０００２】
従来、紙幣識別装置の紙幣投入口に使用可能状態と使用中止状態とが利用者に認識できるように発光表示部を設け、紙幣識別装置が使用可能状態のとき点灯し、使用中止状態のとき消灯する装置が知られている（特許文献１）。
【０００３】
また、紙幣識別装置を搭載した自動販売機において、貯留している釣銭金額に応じて紙幣の受入枚数を設定し、その設定枚数まで挿入されたら紙幣受付を禁止するように自動販売機が知られている（特許文献２）。
【先行技術文献】
【特許文献】
【０００４】
【特許文献１】特開昭６０−６１８８１号公報
【特許文献２】特開昭５８−２２４９３号公報
【発明の概要】
【発明が解決しようとする課題】
【０００５】
ところで、上記特許文献１では、紙幣の使用可否しか利用者は理解できず、また、上記特許文献２では、紙幣の受入枚数は設定できるが、その枚数に達したら、自動的に紙幣受付を禁止するだけであって、利用者は、残り何枚の紙幣が挿入可能か理解できず不便であり、近年、高額商品も増えてきているため、紙幣を使用する可能性が高く、紙幣使用時の利用者に対する利便性が問題となってきている。
【０００６】
そこで、本発明は、前記課題に鑑み、紙幣識別装置を搭載した自動販売機において、利用者に紙幣の挿入可能枚数を簡単に報知できる自動販売機の表示装置を提供することを目的とする。
【課題を解決するための手段】
【０００７】
上記目的を達成するために、本発明の自動販売機の表示装置は、硬貨処理装置と紙幣識別装置とを備えた自動販売機であって、硬貨処理装置の釣銭保有量を検知する検知手段と、該検知手段による釣銭保有量に基づき、紙幣挿入可能枚数を演算する演算手段と、該演算手段により求めた紙幣挿入可能枚数を自動販売機前面に表示させる制御手段とを備えたことを特徴とする。
【０００８】
前記自動販売機の表示装置において、前記幣識別装置に紙幣の一時保留機能を備え、上記演算手段により求めた紙幣挿入可能枚数に一時保留枚数を加算した枚数を新たな紙幣挿入可能枚数として自動販売機前面に表示させることを特徴とする。
【０００９】
また、上記自動販売機の表示装置において、前記紙幣挿入可能枚数の表示は複数のＬＥＤランプからなり、紙幣挿入可能枚数と同数のＬＥＤランプが点灯し、紙幣が挿入される度にＬＥＤランプを消灯することを特徴とする。
【発明の効果】
【００１０】
本発明は、硬貨の釣銭保有量に基づいて紙幣挿入可能枚数を自動販売機前面に表示できるようにすることにより、高額商品の購入の際に、利用者が紙幣の挿入可能枚数を一目で確認できるため、紙幣と硬貨とを組合せて購入することを考えることが可能となり、利用者視点に立った表示が可能となる。
【００１１】
また、管理者側にとっては、外扉を開放することなく、紙幣挿入可能枚数の表示を見て、硬貨釣銭保有量の低下を判断できるため、販売機会を逃すことなく、釣銭補給が可能となる。
【図面の簡単な説明】
【００１２】
【図１】本発明の一実施の形態を示す構成ブロック図である。
【図２】本発明の一実施の形態を示す自動販売機の概略正面図である。
【図３】本発明の一実施の形態を示す表示処理のフローチャート図である。
【発明を実施するための形態】
【００１３】
以下に図１ないし図３を参照しながら、本発明に係る自動販売機の実施の形態について詳細に説明する。
【００１４】
図２は、本発明の実施の対象となる自動販売機の概略正面図の一例を示すものであり、自動販売機２０は、その本体キャビネット前面に外扉２１を備えており、本体キャビネット内には複数（ｎ個）のコラムを備えている。このコラムは、複数種類の商品を個別に収納する一方、コラムと商品選択ボタン２８との対応関係を予め設定しておくことで、商品選択ボタン２８が押され、販売指令が与えられた場合に、押された商品選択ボタン２８に対応する商品の搬出を行うものである。
【００１５】
その外扉２１の前面側に外部から視認可能な商品見本２２ａを内部に配列した商品見本展示室２２、硬貨投入口２３、硬貨返却口２３ａ、紙幣挿入口２４、返却レバー２５、商品取出口２６、デジタル表示器２７、販売可能ランプ，売切ランプを内蔵する商品選択ボタン２８、シリンダー錠付きのハンドル２１ａが設けられている。
【００１６】
次に、図１は、本発明の一実施の形態を示す構成ブロック図である。
【００１７】
１は自動販売機全体を制御する主制御部であり、主制御部１には、制御プログラムを格納するメモリ１ａ、商品の販売価格、コラムと商品選択ボタン２８との対応関係、その他、設定データ、売上データなど種々のデータを記憶するメモリ１ｂを備えている。
【００１８】
この主制御部１には、各種設定・確認を行うための液晶表示器を備えたリモコン１１、商品搬出を行う商品搬出装置１２および庫内の商品を冷却あるいは加熱する冷熱装置１３の制御を行う本体制御部１４、硬貨投入口２３から投入された硬貨の真偽、種類などを選別し、計数および釣銭を払い出す硬貨処理装置１５、紙幣挿入口２４から挿入された紙幣の真偽、種類などを識別する紙幣識別装置１６、デジタル表示器２７、販売可能ランプ売切ランプを内蔵する商品選択ボタン２８などが接続されている。
【００１９】
硬貨処理装置１５は、硬貨投入口２３から投入された硬貨の真偽および金種（金額：例えば５００円、１００円、５０円、１０円）を識別して、真硬貨であれば受け入れて硬貨収金部１５０に金種ごとに収金しつつその金額を記憶する一方、偽硬貨であれば硬貨返却口２３ａから自動販売機２０の外部に払い出す。
【００２０】
また、硬貨処理装置１５は、硬貨収金部１５０にある所定金種の硬貨の枚数が釣銭切れ設定枚数を下回った場合に釣銭切れを検知する釣銭切れ検知センサ１５１を有している。また、硬貨処理装置１５は、硬貨収金部１５０に硬貨が満杯になった場合にそれ以上の硬貨を金庫（図示せず）に貯留する。
【００２１】
また、硬貨処理装置１５は、商品販売後の釣銭を硬貨返却口２３ａから自動販売機１の外部に払い出す。
【００２２】
また、硬貨処理装置１５は、返却レバー２５の操作によって投入された真硬貨（エスクロ機能を有する場合）を硬貨返却口２３ａから返却する。
【００２３】
なお、返却レバー２５は、紙幣識別装置１６側の投入紙幣の返却時にも用いられる。すなわち、返却レバー２５が操作された場合に紙幣識別装置１６に一時保留した紙幣を紙幣挿入口２４から返却するか、あるいは紙幣識別装置１６による収金部へ収納後であれば、紙幣を硬貨に両替し、両替した硬貨を硬貨返却口２３ａから返却する。
【００２４】
紙幣識別装置１６は、紙幣挿入口２４から投入された紙幣の真偽および金種を識別して、真紙幣であれば受け入れて紙幣収金部１６０に収納しつつその金額を記憶する一方、偽紙幣であれば紙幣挿入口２４から自動販売機１の外部に払い出す。また、紙幣識別装置１６は、紙幣収金部１６０に紙幣が満杯になった旨を検知する満杯検知センサ１６１を有している。
【００２５】
さらに、紙幣識別装置１６は、識別した真紙幣を紙幣収金部１６０に収金する以前に一時保留しておき、一時保留した紙幣を紙幣投入口２４から返却可能なエスクロ機能を有している。一時保留可能な紙幣枚数は「１枚」であり、この一時保留されている紙幣は釣銭として返却できる。
【００２６】
デジタル表示器２７は、金額表示部２７ａ、販売中ランプ２７ｂ、１００円、１０円の釣り切れランプ２７ｃのほか、本実施の形態では、紙幣挿入可能枚数を表示する５つの紙幣挿入可能枚数表示ランプ２７ｄを備え、本実施の形態の紙幣挿入可能枚数表示ランプ２７ｄの数は、自動販売機にて設定されている一度の商品購入で挿入できる最大枚数の５枚と同数であり、この紙幣挿入可能枚数表示ランプ２７ｄが点灯している場合には、その点灯しているランプの数だけ、紙幣を挿入可能であり、すべて消灯している場合には、紙幣を受入不可とする。
【００２７】
なお、さらに、利用者に紙幣受入不可をわかりやすく報知するために、紙幣受入中止表示ランプを別途設けてもよい。
【００２８】
次に、図３のフローチャート図を用いて、本実施形態の表示処理について説明する。
【００２９】
まず、販売待機状態において、主制御部１は、紙幣識別装置１６の満杯検知センサ１６１から紙幣収金部１６０が満杯である旨の信号を受信しているかを判断し（ステップＳ０１）、受信していなければ（ステップＳ０１，Ｎｏ）、次に、硬貨処理装置１５の釣銭切れ検知センサ１５１から釣銭切れ信号を受信しているかを判断し（ステップＳ０２）、受信していなければ（ステップＳ０２，Ｎｏ）、硬貨処理装置１５から硬貨収金部１５０の各金種別の釣銭保有枚数を受信する（ステップＳ０３）。
【００３０】
次に、この硬貨の釣銭保有枚数に基づいて紙幣挿入可能枚数を演算する（ステップＳ０４）。
【００３１】
ここで、例えば、硬貨の釣銭保有枚数が２０００円とすると、主制御部１では、紙幣挿入可能枚数が「２枚」と演算し、この演算した枚数に一時保留可能な紙幣枚数の「１枚」を加算した枚数が全体の紙幣挿入可能枚数となり（ステップＳ０５）、主制御部１は、デジタル表示器２７の紙幣挿入可能枚数表示ランプ２７ｄを３個点灯させる（ステップＳ０６）。
【００３２】
このように、硬貨の釣銭保有枚数から求めた紙幣挿入可能枚数に「＋１」した枚数の紙幣が全体の紙幣挿入可能枚数となり、ここで、利用者が紙幣を紙幣挿入口２４から挿入すると、紙幣挿入可能枚数表示ランプ２７ｄが１個消灯して、２個となり、続いて、あと２枚挿入すると、紙幣挿入可能枚数表示ランプ２７ｄが全消灯となって、紙幣受け入れ不可となる。
【００３３】
すなわち、１０００円札が５枚挿入されたとすると、先に挿入された４枚の紙幣は紙幣収金部１６０へ、最後の一枚は一時保留されており、ここで、返却レバー２５が操作されると、１枚は一時保留されている挿入紙幣がそのまま紙幣挿入口２４へ返却可能であるが、残りの４枚は既に紙幣収金部１６０に回収されており、紙幣での返却は不可となるため、主制御部１では、紙幣が挿入される前に受信した硬貨の釣銭保有枚数により紙幣が何枚分返却可能であるかを演算し、この演算した枚数に一時保留されている挿入紙幣を加算して紙幣挿入可能枚数を表示するものである。
【００３４】
例えば、本実施形態の場合、図１に示すように、紙幣（１０００円札）の最大挿入枚数は「５枚」であり、仮にデジタル表示器２７の５つの紙幣挿入可能枚数表示ランプ２７ｄが全て点灯するということは、硬貨処理装置１５から受信した硬貨の釣銭保有枚数が４０００円分より多いということになる。
【００３５】
一方、ステップＳ０１で、紙幣収金部１６０が満杯の場合（ステップＳ０１，Ｙｅｓ）、紙幣挿入可能枚数表示ランプ２７ｄは全て消灯状態となり（ステップＳ０８）、紙幣挿入不可となる。また、ステップＳ０２で硬貨の釣銭保有枚数が一定以下の場合には（ステップＳ０２，Ｙｅｓ）、釣り切れランプ２７ｃが点灯し（ステップＳ０７）、紙幣挿入可能枚数表示ランプ２７ｄは全て消灯状態となり（ステップＳ０８）、紙幣挿入不可となる。
【００３６】
なお、釣り切れランプ２７ｃ点灯時には紙幣挿入不可としたが、例えば、１０００円の商品を１０００円紙幣にて購入する際には、紙幣の挿入を許可するようにしてもよい。つまり、１０００円の商品に対応した商品選択ボタン２８の販売可能ランプのみ点灯する。
【００３７】
また、紙幣収金部１６０の満杯は、紙幣識別装置１６における満杯検知センサ１６１による検知であるため、硬貨の釣銭保有枚数との関係で５つの紙幣挿入可能枚数表示ランプ２７ｄが点灯していたとしても、例えば、２枚受け入れた時点で満杯となれば、紙幣挿入可能枚数表示ランプ２７ｄを全て消灯させ、硬貨の釣銭保有枚数があったとしても紙幣の挿入を禁止する。
【００３８】
また、紙幣の一時保留機能を備えている場合について説明したが、紙幣の一時保留機能を備えていなければ、硬貨の釣銭保有枚数に基づいて演算した紙幣挿入可能枚数をそのままデジタル表示器２７の紙幣挿入可能枚数表示ランプ２７ｄで表示する。
【００３９】
また、紙幣収金部１６０で紙幣の残り受け入れ枚数がカウント可能であれば、紙幣の受け入れ可能枚数と硬貨の釣銭保有枚数とのアンド条件で、紙幣挿入可能枚数表示ランプ２７ｄを点灯させるようにしてもよい。
【００４０】
また、この実施形態では、紙幣挿入可能枚数表示ランプ２７ｄを５つのＬＥＤランプによる表示としたが、７セグメントの数字表示が可能であれば、数字をカウントダウンさせて紙幣挿入可能枚数を表示するようにしてもよい。
【００４１】
以上説明したように、紙幣挿入可能枚数表示ランプ２７ｄを設け、紙幣挿入可能枚数を外部に表示できるようにしたため、利用者は紙幣挿入可能枚数を一目で確認でき、管理者は、外扉２１を開放することなく、硬貨釣銭保有量の低下あるいは紙幣収金部が満杯であることを判断できるため、早期に対応が可能となる。
用者には、紙幣
【符号の説明】
【００４２】
１        主制御部
１５      硬貨処理装置
１５０    硬貨収金部
１５１    釣銭切れ検知センサ
１６      紙幣識別装置
１６０    紙幣収金部
１６１    満杯検知センサ
２０      自動販売機
２３      硬貨投入口
２４      紙幣挿入口
２５      返却レバー
２７      デジタル表示器
２７ｄ    紙幣挿入可能枚数表示ランプ
２８      商品選択ボタン
【図１】
2013016091.tif 000003
【図２】
2013016091.tif 000004
【図３】
2013016091.tif 000005